(57)【要約】【課題】英語辞書等のテキストデータを含むコンテンツに適用することで、学習効率を高めることが可能な表示処理装置、表示処理方法、表示処理プログラム及び記録媒体を提供する。【解決手段】表示処理装置の表示領域１２１ａに、色データが付与されたテキストデータを表示し、かつ表示領域１２１ａの一部又は全部に、背景色を赤等の色に変更した変色領域Ａ２を設定する。変色領域Ａ２に表示されるテキストデータにおいては、背景色と同色の赤等の色データが付与されたテキストデータが不可視状態となる。また、変色領域Ａ２及びテキストデータの内容は適宜移動させることができる。【選択図】図１０
2014021209.tif 000002
【特許請求の範囲】
【請求項１】
色データが付与されたテキストデータを含むコンテンツを記録している記録部と、コンテンツを表示する表示領域とを備え、前記記録部に記録されているコンテンツに含まれるテキストデータを、設定された背景色を背景として、付与されている色データに基づく色で前記表示領域に表示する表示処理装置であって、
前記表示領域内に、背景色を変更背景色とした変色領域を設定する領域設定手段と、
前記変色領域に表示すべきテキストデータのうち、変更背景色に係る色データが付与されたテキストデータを不可視化する変色手段と、
前記変色領域の位置を変更する領域変更手段と
を備えることを特徴とする表示処理装置。
【請求項２】
前記変色手段は、不可視化として、変更背景色に係る色データが付与されたテキストデータを非表示、又は変更背景色と同色若しくは近似色での表示とすることを特徴とする請求項１に記載の表示処理装置。
【請求項３】
請求項１又は請求項２に記載の表示処理装置であって、
前記領域変更手段は、
前記変色領域の指定を受け付ける手段と、
指定された前記変色領域の位置を変更させる操作を受け付ける手段と
を有し、
受け付けた操作に基づいて、指定された前記変色領域の位置を変更する
ことを特徴とする表示処理装置。
【請求項４】
請求項１から請求項３までのいずれか１項に記載の表示処理装置であって、
前記表示領域に表示するテキストデータの表示内容を移動させる操作を受け付ける手段と、
受け付けた操作に基づいて、前記表示領域に表示するテキストデータの表示内容を移動する手段と
を備えることを特徴とする表示処理装置。
【請求項５】
請求項１又は請求項２に記載の表示処理装置であって、
前記表示領域内の位置を指示する操作を受け付ける入力部を備え、
前記領域変更手段は、
前記変色領域内の位置を指示し、かつ指示した位置を移動させる操作を、指示された前記変色領域の位置を変更させる操作として、前記入力部から受け付ける手段を有し、
受け付けた操作に基づいて、指定された前記変色領域の位置を変更するようにしてあり、
更に、
前記変色領域外の位置を指示し、かつ指示した位置を移動させる操作を、前記表示領域に表示するテキストデータの表示内容を移動させる操作として、前記入力部から受け付ける手段と、
受け付けた操作に基づいて、前記表示領域に表示するテキストデータの表示内容を移動する手段と
を備えることを特徴とする表示処理装置。
【請求項６】
請求項１から請求項５までのいずれか１項に記載の表示処理装置であって、
テキストデータの指定を受け付ける手段と、
指定されたテキストデータの表示色を変更する手段と、
表示色を変更したテキストデータのうち、前記変色領域に表示すべきテキストデータを不可視化する手段と
を備えることを特徴とする表示処理装置。
【請求項７】
請求項１から請求項６までのいずれか１項に記載の表示処理装置であって、
変更背景色の色を切り替える切替入力を受け付ける手段と、
前記切替入力に基づいて変更背景色の色の設定を変更する手段と
を備えることを特徴とする表示処理装置。
【請求項８】
請求項１から請求項７までのいずれか１項に記載の表示処理装置であって、
前記コンテンツは、前記表示領域内に、行単位で表示するテキストデータを含み、
前記領域設定手段は、前記表示領域内に表示したテキストデータの行単位で変色領域を設定する
ことを特徴とする表示処理装置。
【請求項９】
請求項１から請求項７までのいずれか１項に記載の表示処理装置であって、
前記表示領域における表示の向きを変更する手段を備え、
前記領域変更手段は、表示の向きを変更した場合に、変更前に設定されていた変色領域に含まれるテキストデータの変更後の表示位置に基づいて、変更後の変色領域を設定する
ことを特徴とする表示処理装置。
【請求項１０】
請求項１から請求項９までのいずれか１項に記載の表示処理装置であって、
前記コンテンツは、文字又は文法単位毎にそれぞれ色データが付与されたテキストデータを含み、
テキストデータに付与することが可能な色データに係る色は、変更背景色に設定することが可能な色を含む
ことを特徴とする表示処理装置。
【請求項１１】
色データが付与されたテキストデータを含むコンテンツを記録している記録部と、コンテンツを表示する表示領域とを備える表示処理装置に、前記記録部に記録されているコンテンツに含まれるテキストデータを、設定された背景色を背景として、付与されている色データに基づく色で前記表示領域に表示する表示処理方法であって、
前記表示処理装置は、
前記表示領域内に、背景色を変更背景色とした変色領域を設定する領域設定ステップと、
前記変色領域に表示すべきテキストデータのうち、変更背景色に係る色データが付与されたテキストデータを不可視化する変色ステップと、
前記変色領域の位置を変更する領域変更ステップと
を実行することを特徴とする表示処理方法。
【請求項１２】
色データが付与されたテキストデータを含むコンテンツを記録している記録部と、コンテンツを表示する表示領域とを備えるコンピュータに、前記記録部に記録されているコンテンツに含まれるテキストデータを、設定された背景色を背景として、付与されている色データに基づく色で前記表示領域に表示させる表示処理プログラムであって、
コンピュータに、
前記表示領域内に、背景色を変更背景色とした変色領域を設定する領域設定手順と、
前記変色領域に表示すべきテキストデータのうち、変更背景色に係る色データが付与されたテキストデータを不可視化する変色手順と、
前記変色領域の位置を変更する領域変更手順と
を実行させることを特徴とする表示処理プログラム。
【請求項１３】
色データが付与されたテキストデータを含むコンテンツを記録している記録部と、コンテンツを表示する表示領域とを備えるコンピュータに、前記記録部に記録されているコンテンツに含まれるテキストデータを、設定された背景色を背景として、付与されている色データに基づく色で前記表示領域に表示させる表示処理プログラムを記録してある、コンピュータでの読み取りが可能な記録媒体であって、
コンピュータに、
前記表示領域内に、背景色を変更背景色とした変色領域を設定する領域設定手順と、
前記変色領域に表示すべきテキストデータのうち、変更背景色に係る色データが付与されたテキストデータを不可視化する変色手順と、
前記変色領域の位置を変更する領域変更手順と
を実行させる表示処理プログラムを記録してあることを特徴とするコンピュータでの読み取りが可能な記録媒体。
【発明の詳細な説明】
【技術分野】
【０００１】
本発明は、テキストデータを含むコンテンツを表示領域に表示させる表示処理装置、そのような表示処理装置を用いた表示処理方法、そのような表示処理装置を実現するための表示処理プログラム、及びそのような表示処理プログラムを記録してあるコンピュータでの読み取りが可能な記録媒体に関し、特に、色データが付与されたテキストデータを含むコンテンツを記録している記録部と、コンテンツを表示する表示領域とを備え、前記記録部に記録されているコンテンツに含まれるテキストデータを、設定された背景色を背景として、付与されている色データに基づく色で前記表示領域に表示する表示処理装置、表示処理方法、表示処理プログラム及び記録媒体に関する。
【背景技術】
【０００２】
単語を登録しているユーザ辞書部を備え、登録されている単語を、必要に応じて読み出し、読み出した単語を表示部に表示する様々な電子機器が普及している（例えば、特許文献１参照。）。
【０００３】
また、最近では、各種学生、各種受験生等の学習者が、受験勉強等の学習を行う際に、電子機器を利用する機会が増加しており、例えば、英単語を学習するための学習用装置として機能する電子機器も普及し始めている。
【先行技術文献】
【特許文献】
【０００４】
【特許文献１】特開２００５−０９２６８７号公報
【発明の概要】
【発明が解決しようとする課題】
【０００５】
しかしながら、従来の装置では、例えば、問題に対して解答する問題集形式のものと、英単語及びその意味を一覧列記した単語帳に類するものとがそれぞれ独立したものであり、学習し難いとの心証を与える場合もあった。
【０００６】
本発明はこのような状況に鑑みてなされたものであり、例えば、単語を一覧表示する単語帳として使用可能なコンテンツの一部のテキストを不可視化することにより、学習効率を高めることが可能な表示処理装置の提供を目的とする。
【０００７】
また、本発明は、本発明に係る表示処理装置を適用することによって、学習効率を高めることが可能な表示処理方法の提供を他の目的とする。
【０００８】
また、本発明は、本発明に係る表示処理装置を実現する表示処理プログラムの提供を他の目的とする。
【０００９】
また、本発明は、本発明に係る表示処理プログラムを記録してある記録媒体の提供を他の目的とする。
【課題を解決するための手段】
【００１０】
上記課題を解決するため、本発明に係る表示処理装置は、色データが付与されたテキストデータを含むコンテンツを記録している記録部と、コンテンツを表示する表示領域とを備え、前記記録部に記録されているコンテンツに含まれるテキストデータを、設定された背景色を背景として、付与されている色データに基づく色で前記表示領域に表示する表示処理装置であって、前記表示領域内に、背景色を変更背景色とした変色領域を設定する領域設定手段と、前記変色領域に表示すべきテキストデータのうち、変更背景色に係る色データが付与されたテキストデータを不可視化する変色手段と、前記変色領域の位置を変更する領域変更手段とを備えることを特徴とする。
【００１１】
したがって、本発明では、例えば、単語を一覧表示する単語帳として使用可能なコンテンツの一部のテキストを不可視化することにより、例えば、透明な赤シートで単語帳の記載事項の一部を隠す行為を模した使い方をすることができる。
【００１２】
また、本発明に係る表示処理装置は、前記変色手段は、不可視化として、変更背景色に係る色データが付与されたテキストデータを非表示、又は変更背景色と同色若しくは近似色での表示とすることを特徴とする。
【００１３】
したがって、本発明では、テキストデータを非表示とすることで、視認できないようにすることができ、又は、背景色と同色で表示することで、識別できないようにすることができ、若しくは、背景色と近似色で表示することで、視認し難くすることができる。
【００１４】
また、本発明に係る表示処理装置は、前記領域変更手段は、前記変色領域の指定を受け付ける手段と、指定された前記変色領域の位置を変更させる操作を受け付ける手段とを有し、受け付けた操作に基づいて、指定された前記変色領域の位置を変更することを特徴とする。
【００１５】
したがって、本発明では、例えば、単語帳に重畳した赤シートをずらす行為を模した使い方をすることができる。
【００１６】
また、本発明に係る表示処理装置は、前記表示領域に表示するテキストデータの表示内容を移動させる操作を受け付ける手段と、受け付けた操作に基づいて、前記表示領域に表示するテキストデータの表示内容を移動する手段とを備えることを特徴とする。
【００１７】
したがって、本発明では、例えば、赤シートを重畳した単語帳をずらす行為を模した使い方をすることができ、しかも、実際の単語帳のようにページを変更する必要がないため、利便性に優れている。
【００１８】
また、本発明に係る表示処理装置は、前記表示領域内の位置を指示する操作を受け付ける入力部を備え、前記領域変更手段は、前記変色領域内の位置を指示し、かつ指示した位置を移動させる操作を、指示された前記変色領域の位置を変更させる操作として、前記入力部から受け付ける手段を有し、受け付けた操作に基づいて、指定された前記変色領域の位置を変更するようにしてあり、更に、前記変色領域外の位置を指示し、かつ指示した位置を移動させる操作を、前記表示領域に表示するテキストデータの表示内容を移動させる操作として、前記入力部から受け付ける手段と、受け付けた操作に基づいて、前記表示領域に表示するテキストデータの表示内容を移動する手段とを備えることを特徴とする。
【００１９】
したがって、本発明では、例えば、単語帳に赤シートを重畳した状態から、赤シート又は単語帳をずらす行為を模した使い方を提供することができ、しかも、学習者が違和感なく直感的に当該操作をすることができるインターフェースを提供することができる。
【００２０】
また、本発明に係る表示処理装置は、テキストデータの指定を受け付ける手段と、指定されたテキストデータの表示色を変更する手段と、表示色を変更したテキストデータのうち、前記変色領域に表示すべきテキストデータを不可視化する手段とを備えることを特徴とする。
【００２１】
したがって、本発明では、学習者が指定した任意のテキストデータについても、変色領域内に入った場合に不可視化することにより、学習者の弱点となる内容を効果的に学習することができる。
【００２２】
また、本発明に係る表示処理装置は、変更背景色の色を切り替える切替入力を受け付ける手段と、前記切替入力に基づいて変更背景色の色の設定を変更する手段とを備えることを特徴とする。
【００２３】
したがって、本発明では、例えば、見出し語となる単語とその意味とを対応付けて一覧で示した単語帳に対し、意味を隠したり、また、単語を隠したりするというように、所謂赤シートと緑シートとを併用する学習方法を模した使用方法を提供することができる。
【００２４】
また、本発明に係る表示処理装置は、前記コンテンツは、前記表示領域内に、行単位で表示するテキストデータを含み、前記領域設定手段は、前記表示領域内に表示したテキストデータの行単位で変色領域を設定することを特徴とする。
【００２５】
したがって、本発明では、行単位で不可視化することができる。
【００２６】
また、本発明に係る表示処理装置は、前記表示領域における表示の向きを変更する手段を備え、前記領域変更手段は、表示の向きを変更した場合に、変更前に設定されていた変色領域に含まれるテキストデータの変更後の表示位置に基づいて、変更後の変色領域を設定することを特徴とする。
【００２７】
本発明に係る表示処理装置は、例えば、装置本体を横に向けて使用する場合等の様々な状況変化に適宜対応することができる。
【００２８】
また、本発明に係る表示処理装置は、前記コンテンツは、文字又は文法単位毎にそれぞれ色データが付与されたテキストデータを含み、テキストデータに付与することが可能な色データに係る色は、変更背景色に設定することが可能な色を含むことを特徴とする。
【００２９】
したがって、文字、又は単語、文節、文、文章、段落等の文法単位で不可視化することができる。
【００３０】
本発明に係る表示処理方法は、色データが付与されたテキストデータを含むコンテンツを記録している記録部と、コンテンツを表示する表示領域とを備える表示処理装置に、前記記録部に記録されているコンテンツに含まれるテキストデータを、設定された背景色を背景として、付与されている色データに基づく色で前記表示領域に表示する表示処理方法であって、前記表示処理装置は、前記表示領域内に、背景色を変更背景色とした変色領域を設定する領域設定ステップと、前記変色領域に表示すべきテキストデータのうち、変更背景色に係る色データが付与されたテキストデータを不可視化する変色ステップと、前記変色領域の位置を変更する領域変更ステップとを実行することを特徴とする。
【００３１】
したがって、本発明では、例えば、単語を一覧表示する単語帳として使用可能なコンテンツの一部のテキストを不可視化することにより、例えば、透明な赤シートで単語帳の記載事項の一部を隠す行為を模した使い方をすることができる。
【００３２】
本発明に係る表示処理プログラムは、色データが付与されたテキストデータを含むコンテンツを記録している記録部と、コンテンツを表示する表示領域とを備えるコンピュータに、前記記録部に記録されているコンテンツに含まれるテキストデータを、設定された背景色を背景として、付与されている色データに基づく色で前記表示領域に表示させる表示処理プログラムであって、コンピュータに、前記表示領域内に、背景色を変更背景色とした変色領域を設定する領域設定手順と、前記変色領域に表示すべきテキストデータのうち、変更背景色に係る色データが付与されたテキストデータを不可視化する変色手順と、前記変色領域の位置を変更する領域変更手順とを実行させることを特徴とする。
【００３３】
したがって、本発明に係る表示処理プログラムは、コンピュータにて実行することにより、コンピュータが本発明の表示処理装置として機能し、例えば、単語を一覧表示する単語帳として使用可能なコンテンツの一部のテキストを不可視状態とすることにより、例えば、透明な赤シートで単語帳の記載事項の一部を隠す行為を模した使い方をすることができる。
【００３４】
本発明に係るコンピュータでの読み取りが可能な記録媒体は、色データが付与されたテキストデータを含むコンテンツを記録している記録部と、コンテンツを表示する表示領域とを備えるコンピュータに、前記記録部に記録されているコンテンツに含まれるテキストデータを、設定された背景色を背景として、付与されている色データに基づく色で前記表示領域に表示させる表示処理プログラムを記録してある、コンピュータでの読み取りが可能な記録媒体であって、コンピュータに、前記表示領域内に、背景色を変更背景色とした変色領域を設定する領域設定手順と、前記変色領域に表示すべきテキストデータのうち、変更背景色に係る色データが付与されたテキストデータを不可視化する変色手順と、前記変色領域の位置を変更する領域変更手順とを実行させる表示処理プログラムを記録してあることを特徴とする。
【００３５】
したがって、本発明に係る記録媒体は、記録されているプログラムをコンピュータにて読み取って実行することにより、コンピュータが本発明の表示処理装置として機能し、例えば、単語を一覧表示する単語帳として使用可能なコンテンツの一部のテキストを不可視状態とすることにより、例えば、透明な赤シートで単語帳の記載事項の一部を隠す行為を模した使い方をすることができる。
【発明の効果】
【００３６】
本発明に係る表示処理装置、表示処理方法、表示処理プログラム及び記録媒体は、コンテンツに含まれるテキストデータを表示部の表示領域に表示させ、表示させたテキストデータのうちで、適宜位置を変更することが可能な変色領域内に含まれる部分については不可視化する。これにより、テキストデータの一部を適宜視認することができなくなるように設定できるので、学習者の学習形態に応じて様々な使用方法で使用することができ、学習効率を高めることが可能である等、優れた効果を奏する。
【図面の簡単な説明】
【００３７】
【図１】本発明に係る表示処理装置の一例を示す概略斜視図である。
【図２】本発明に係る表示処理装置のシステム構成の一例を示すブロック図である。
【図３】本発明に係る表示処理装置が備えるコンテンツに含まれるテキストデータの一例を概念的に示す説明図である。
【図４】本発明に係る表示処理装置の初期画面として表示領域に表示される画像の一例を示している。
【図５】本発明に係る表示処理装置のコンテンツ使用開始処理の一例を示すフローチャートである。
【図６】本発明に係る表示処理装置の表示領域に表示された画像の一例を示す説明図である。
【図７】本発明に係る表示処理装置の変色領域設定処理の一例を示すフローチャートである。
【図８】本発明に係る表示処理装置の表示領域に表示された画像の一例を示す説明図である。
【図９】本発明に係る表示処理装置の変色領域移動処理の一例を示すフローチャートである。
【図１０】本発明に係る表示処理装置の表示領域に表示された画像の一例を示す説明図である。
【図１１】本発明に係る表示処理装置のテキストデータ内容移動処理の一例を示すフローチャートである。
【図１２】本発明に係る表示処理装置のテキストデータ表示色変更処理の一例を示すフローチャートである。
【図１３】本発明に係る表示処理装置の表示領域に表示された画像の一例を示す説明図である。
【図１４】本発明に係る表示処理装置の変色領域設定補助処理の一例を示すフローチャートである。
【図１５】本発明に係る表示処理装置の表示領域に表示された画像の一例を示す説明図である。
【図１６】本発明に係る表示処理装置の変更背景色切替処理の一例を示すフローチャートである。
【図１７】本発明に係る表示処理装置の表示領域に表示された画像の一例を示す説明図である。
【図１８】本発明に係る表示処理装置の表示方向変更処理の一例を示すフローチャートである。
【図１９】本発明に係る表示処理装置の表示領域に表示された画像の一例を示す説明図である。
【発明を実施するための形態】
【００３８】
以下、本発明の実施の形態について図面を参照しながら説明する。なお、以下の実施の形態は、本発明を具現化した例であって、本発明の技術的範囲を限定する性格のものではない。
【００３９】
本発明に係る表示処理装置は、例えば、コンピュータの一種である電子辞書等の小型携帯型学習装置として具現化することができ、本実施の形態では、電子辞書として具現化した本発明の表示処理装置を例にとって説明する。
【００４０】
まず、本発明の表示処理装置の全体構成について説明する。図１は、本発明に係る表示処理装置の一例を示す概略斜視図である。
【００４１】
図１に示す表示処理装置１００は、上側本体部１１１と下側本体部１１２と蝶番機構１１３とで構成されており、上側本体部１１１と下側本体部１１２とが蝶番機構１１３とによって折りたたみ可能に結合されている。詳しくは、上側本体部１１１及び下側本体部１１２は、いずれも略同サイズで左右方向に長い形状のものとされており、上側本体部１１１及び下側本体部１１２が短手方向の一端部で左右方向に沿った回動軸を中心に回動自在に連結されている。
【００４２】
上側本体部１１１には、液晶タッチパネル等の表示入力部１２０が設けられている。表示入力部１２０は、矩形薄膜状の液晶パネル等の表示部１２１と、矩形薄膜状のタッチパネル等の入力部１２２とを重畳して形成されており、表示部１２１は、画像を表示する矩形状の表示領域１２１ａを有している。なお、表示部１２１は、液晶パネルに限らず、有機ＥＬパネル、プラズマパネル等の表示部品を用いて構成することができる。入力部１２２は、赤外線を用いた接触センサ、感圧センサ、静電容量センサ等の各種センサを用いて構成され、表示領域１２１ａに対して、指、又はタッチペン等の入力具１４０が接触した場合に、その接触位置を入力位置として検出する。
【００４３】
下側本体部１１２は、サブ液晶タッチパネル等のサブ表示入力部１３０が設けられている。サブ表示入力部１３０の構成は、実質的に表示入力部１２０と同様であり、表示領域１３１ａを有する表示部１３１と、入力部１３２とを有している。
【００４４】
また、下側本体部１１２は、キー入力操作を受け付ける操作部１５０を更に有している。操作部１５０には、ユーザによる入力操作を受け付ける各種入力キー１５１が設けられている。入力キー１５１には、各種メニューキー１５１ａ、決定キー１５１ｂ、機能キー１５１ｃ、学習帳キー１５１ｄ、カーソルキー１５１ｅ、プレビューキー１５１ｆ等の各種キーが含まれている。
【００４５】
また、下側本体部１１２は、側部にメモリスロット等の補助記憶部１６０を有しており、フラッシュメモリを用いたＳＤメモリーカード等の記録媒体ＲＥＣを挿入することにより、記録媒体ＲＥＣに対してアクセスし、情報の読み書きをすることができる。なお、記録媒体ＲＥＣとしては、フラッシュメモリ等の半導体メディアに限らず、ＣＤ−ＲＯＭ、ＤＶＤ−ＲＯＭ等の光学メディア等、情報を記録する様々な媒体を用いることが可能である。
【００４６】
図２は、本発明に係る表示処理装置１００のシステム構成の一例を示すブロック図である。表示処理装置１００は、装置全体を制御する制御ユニット１７０を備えている。制御ユニット１７０は、表示入力部１２０の表示部１２１及び入力部１２２、サブ表示入力部１３０の表示部１３１及び入力部１３２、各種入力キー１５１並びに補助記憶部１６０に接続されている。さらに、表示処理装置１００は、加速度センサ等の方向検出部１８０を備えており、方向検出部１８０が検出した表示処理装置１００の方向を示す縦向き、横向き等の情報は、検出方向情報として、制御ユニット１７０へ出力される。
【００４７】
また、制御ユニット１７０は、制御部１７１、記録部１７２等の各種機構を備えている。
【００４８】
制御部１７１は、ＣＰＵ（Central Processing Unit ）等の情報処理回路、時計回路等の各種回路を備え、制御ユニット１７０の本体として、表示処理装置１００の処理全般を制御する。
【００４９】
記録部１７２は、不揮発性メモリであるＲＯＭ（Read Only Memory）１７２ａ、揮発性メモリであるＲＡＭ（Random Access Memory）１７２ｂ等の各種メモリを備えている。また、ＲＯＭ１７２ａには、本発明の表示処理プログラムＰＲＧ等の各種プログラム及びデータが記録されている。
【００５０】
ＲＯＭ１７２ａとしては、ＨＤＤ（Hard Disk Drive）等の磁気記録機構、ＳＳＤ（Solid State Disk）等の不揮発性半導体記録機構等の不揮発性メモリが用いられる。ＲＡＭ１７２ｂとしては、ＳＤＲＡＭ（Synchronous Dynamic Random Access Memory）、ＳＲＡＭ（Static Random Access Memory）等の揮発性メモリが用いられる。なお、ＲＯＭ１７２ａには、本発明の表示処理プログラムＰＲＧだけでなく、様々な処理を実行する様々なアプリケーションプログラム及びデータが記録されている。
【００５１】
さらに、ＲＯＭ１７２ａの記録領域の一部は、学習用コンテンツ、辞書用コンテンツ等の各種コンテンツＣを記録するデータベースＤＢとして用いられている。学習用コンテンツ、辞書用コンテンツ等の各種コンテンツＣには、例えば、単語帳、辞書等の用途に用いられるテキストデータが含まれており、テキストデータには、色データが付与されている。
【００５２】
また、ＲＡＭ１７２ｂの記録領域の一部は、制御部１７１が各種プログラムを実行する際に発生するデータを一時的に記憶するワークメモリとして用いられる。
【００５３】
そして、制御部１７１は、ＲＯＭ１７２ａに記録されている表示処理プログラムＰＲＧを読み取ってＲＡＭ１７２ｂに記憶させ、表示処理プログラムＰＲＧに含まれる各種手順を実行することにより、コンピュータは、本発明の表示処理装置１００として機能する。なお、補助記憶部１６０に、本発明の表示処理プログラムＰＲＧが記録された記録媒体ＲＥＣを挿入し、記録媒体ＲＥＣに記録されている表示処理プログラムＰＲＧを読み取って、各種手順を実行するようにしても良い。
【００５４】
図３は、本発明に係る表示処理装置１００が備えるコンテンツＣに含まれるテキストデータの一例を概念的に示す説明図である。図３に示すコンテンツＣのテキストデータは、英語辞書コンテンツとしてとして記録されているデータであるが、後述するように学習用の英単語コンテンツとしても用いられるテキストデータである。コンテンツＣに含まれるテキストデータには、標準色（黒）、赤、緑等の色データが付与されており、通常は、付与されている色データに係る色で表示領域１２１ａに表示される。例えば、図３に示す例では、「succeed 」等の英単語及び発音記号等の見出し語には、色データとして「緑」が付与されている。また、「（に）成功する(in)」等の筆頭訳語には、色データとして「赤」が付与されている。さらに、「（の）後を継ぐ」等の他の訳語には、色データとして「標準色」が付与されている。なお、本願の図面においては、表現上、色データとして「緑」が付与された文字、及び緑色で表示する文字については、破線の下線を付して示し、色データとして「赤」が付与された文字、及び赤色で表示する文字については、実線の下線を付して示すものとする。
【００５５】
色データは、テキストデータに含まれる文字又は文法単位毎に付与されている。なお、本願において文字とは、ひらがな、カタカナ、漢字、英文字等の文字のみを示すものではなく、テキストデータの表示単位となる数字、記号、絵文字等のキャラクタをも含む概念である。本願において文法単位とは、単語、文節、文、文章、段落等の複数の文字からなる文字列を示す概念である。なお、色データの付与は、例えば、ＨＴＭＬ（Hyper Text Markup Language）、ＸＭＬ（eXtensible Markup Language）等のマークアップ言語を用いてコンテンツＣを作成することにより、テキストデータに対して、任意の文字に対する色データの付与を行うことができる。
【００５６】
図３に示すコンテンツＣに含まれるテキストデータでは、第１言語である英語にて示された第１テキストを見出し語として「緑」を付与し、第２言語である日本語にて示された第２テキスト及び第３テキストを意味内容として「赤」又は「標準色」を付与している。
【００５７】
図３に示す色データの付与は、あくまでも一例である。例えば国語辞典用コンテンツでは、日本語の単語を示す第１テキストを見出し語として「緑」を付与し、その意味を示す第２テキストに「赤」を付与し、その用例を示す第３テキストに「標準色」を付与する等、適宜設計することが可能である。
【００５８】
また、漢字辞典用コンテンツでは、書き取り用として、見出し語となる第１テキストを「読み方」として、「緑」を付与し、第２テキストを「漢字」として、「赤」を付与する。読み方用の漢字辞典用コンテンツでは、その逆の色データを付与する。
【００５９】
さらに、歴史年代用コンテンツでは、見出し語となる第１テキストを「事件名」として、「緑」を付与し、第２テキストを「年代・語呂合わせ」として、「赤」を付与し、第３テキストを、事件の概要として「標準色」を付与する。
【００６０】
このように、コンテンツＣは、様々な用途に、適宜展開することが可能であり、コンテンツＣに含まれる内容及び付与すべき色データも適宜展開することが可能である。
【００６１】
次に本発明の表示処理装置１００の使用方法及び処理について説明する。図４は、本発明の表示処理装置１００の表示領域１２１ａに表示された画像の一例を示す説明図である。図４は、本発明に係る表示処理装置１００の初期画面として表示領域１２１ａに表示される画像の一例を示している。
【００６２】
図４に示す初期画面は、英語辞書コンテンツ（英単語コンテンツ）、漢字辞書用コンテンツ等の複数のコンテンツＣから英語辞書コンテンツが選択された状態を示しており、画面内の右側に、選択されたコンテンツＣを示すコンテンツアイコンｉ１が表示されている。
【００６３】
また、画面内の左上側には、コンテンツＣの使用方法の選択に用いられる画像が、使用方法選択アイコンｉ２として示されている。使用方法選択アイコンｉ２は、使用するコンテンツＣを選択することにより、選択したコンテンツＣの使用方法として表示される。使用方法選択アイコンｉ２として示される使用方法として、図４では、「学習をする」、「復習テスト」等の使用方法の概要が例示されており、更に、「続き」、「新規」等の使用方法の詳細が例示されている。
【００６４】
また、画面内の左下側には、コンテンツＣの他の使用方法が、使用方法選択テキストｉ３として示されている。
【００６５】
さらに、画面内の右上側には、表示領域１２１ａ内のテキストデータの表示方向を切り替える「縦切替」と示された方向切替アイコンｉ４が示されている。
【００６６】
ユーザは、コンテンツＣを選択後、図４に示す初期画面から、所望する使用方法選択アイコンｉ２を指示する入力を行うことにより、コンテンツＣを使用することが可能となる。以下では、「英語辞書コンテンツ（英単語コンテンツ）」において、「学習をする」を指示した場合の形態を中心に例示して説明する。
【００６７】
図５は、本発明に係る表示処理装置１００のコンテンツ使用開始処理の一例を示すフローチャートである。本発明の表示処理装置１００は、コンテンツＣの使用を開始する入力を受け付けて、表示処理プログラムＰＲＧ等の各種プログラムを実行する制御部１７１の制御により、コンテンツ使用開始処理の実行を開始する。
【００６８】
制御部１７１は、選択されたコンテンツＣをＲＯＭ１７２ａから読み取り（Ｓ１０１）、表示部１２１の表示領域１２１ａ内に、所定の基準背景色を背景として、コンテンツＣに含まれるテキストデータを、付与されている色データに係る色で表示する（Ｓ１０２）。
【００６９】
このようにして、コンテンツ使用開始処理が実行される。
【００７０】
図６は、本発明に係る表示処理装置１００の表示領域１２１ａに表示された画像の一例を示す説明図である。図６は、コンテンツ使用開始処理にて表示される画像を示している。図６に示す画像は、コンテンツＣとして英語辞書コンテンツを選択しており、所定の基準背景色、ここでは白色を背景として、テキストデータが表示されている。表示されているテキストデータは、付与されている色データに係る色で表示されている。すなわち、標準色の色データが付与されているテキストデータは黒い文字、赤の色データが付与されているテキストデータは赤い文字、そして緑の色データが付与されているテキストデータは緑の文字として表示されている。なお、以降の説明において、必要に応じて基準背景色の領域を基準色領域Ａ１として示す。
【００７１】
また、画像右下には、背景色を示すタブ画像Ｔが示されており、図６に示す画像では、背景色が基準背景色であることを示すタブ画像Ｔ１が、最上位のレイヤであることを示す画像として示されている。
【００７２】
ユーザは、タブ画像Ｔのうち、背景色を赤にするタブ画像Ｔ２又は背景色を緑にするタブ画像Ｔ３を指示する入力を行うことにより、背景色を赤又は緑に変更した変更背景色にて表示される変色領域を設定することができる。タブ画像Ｔ２又はタブ画像Ｔ３を指示する入力とは、例えば、ユーザが表示部１２１の表示領域１２１ａに表示されたタブ画像Ｔ２又はタブ画像Ｔ３の位置に、指又は入力具１４０にて触れることにより行われる。なお、ユーザがタブ画像Ｔ２又はＴ３を指示する入力を行い、背景色を変更する操作は、英語辞書に半透明の赤シート又は緑シートを重畳する行為を模したものである。
【００７３】
図７は、本発明に係る表示処理装置１００の変色領域設定処理の一例を示すフローチャートである。変色領域設定処理は、図６に示す画像が表示された状態から、ユーザが、タブ画像Ｔ２又はタブ画像Ｔ３を指示する入力を行った場合に実行される。なお、ここでは、タブ画像Ｔ２を指示する入力を受け付けた場合を例示して説明する。本発明の表示処理装置１００は、タブ画像Ｔ２を指示する入力を受け付けて、表示処理プログラムＰＲＧ等の各種プログラムを実行する制御部１７１の制御により、変色領域設定処理の実行を開始する。
【００７４】
制御部１７１は、入力部１２２により、変更背景色の色を指定する入力を受け付ける（Ｓ２０１）。ステップＳ２０１に示す変更背景色の色の指定は、表示領域１２１ａ（表示部１２１）に重畳された入力部１２２からタブ画像Ｔ２を指示する入力を受け付けることにより行われる。
【００７５】
制御部１７１は、表示領域１２１ａ内に、背景色を変更背景色とした変色領域を設定する（Ｓ２０２）。そして、制御部１７１は、設定した変色領域に表示すべきテキストデータのうち、変更背景色に係る色データが付与されたテキストデータを不可視化する（Ｓ２０３）。なお、変更背景色に係る色データとは、ここでは、変更背景色と同色の色データを示すが、近似色の色データであってもよい。
【００７６】
ステップＳ２０３の処理において不可視化とは、変更背景色に係る色データが付与されたテキストデータを非表示、又は変更背景色と同色若しくは近似色での表示とすることを示す。テキストデータを非表示とすることにより、ユーザは、テキストデータにて示された文字を視認することができなくなる。テキストデータを変更背景色と同色とすることにより、ユーザは、テキストデータと変更背景色とを区別することができなくなり、テキストデータの識別が不可能となる。テキストデータを変更背景色の近似色とすることにより、ユーザは、テキストデータを視認することが困難になる。なお、ステップＳ２０３の実体的な処理としては、不可視化という結果を得られるのであれば、どのような処理であってもよい。例えば、テキストデータを表示するレイヤに対して、変更背景色の半透明のレイヤを所定の透過度で重畳する処理を行うことにより、不可視化が実行される。また、例えば、テキストデータに付与された色データを示すＲＧＢ値と変更背景色を示すＲＧＢ値との関係からテキストデータの表示色を算出する等、適宜表示色の決定方法を定義して不可視化を実行するようにしてもよい。
【００７７】
このようにして、変色領域設定処理が実行される。
【００７８】
図８は、本発明に係る表示処理装置１００の表示領域１２１ａに表示された画像の一例を示す説明図である。図８は、変色領域設定処理にて表示される画像を示している。図８に示す画像は、図６に示す画像から、タブ画像Ｔ１を指示する入力操作を行った場合に表示される画像であり、コンテンツＣのテキストデータが表示されている領域の全体が変色領域Ａ２に設定されている状態を示している。
【００７９】
図８に示すように、変色領域Ａ２における背景色は、赤の変更背景色が設定されている。また、赤の色データが付与されていたテキストは、不可視化されており、視認することができない状態となっている。図８に例示する画像では、赤の色データが付与されたテキスト、すなわち、英語で示された見出し語に対する日本語の意味が不可視となっている。図８に示す状態は、英語辞書に半透明の赤シートを重畳し、赤色の文字を不可視とした状態を模している。従って、ユーザは、見出し語を認識し、その意味を想起することにより、英単語を効果的に学習することができる。
【００８０】
ユーザは、設定された変色領域Ａ２の位置を変更させる操作を行うことができる。変色領域Ａ２の位置を変更させる操作として、ユーザは、表示部１２１の表示領域１２１ａにおける変色領域Ａ２内の適当な位置に、指又は入力具１４０にて触れることにより、変色領域Ａ２を指定する。そして、ユーザは、触れた状態を維持しながら表示領域１２１ａ上を移動する操作、いわゆるドラッグを行うことにより、変色領域Ａ２の位置が変更され、再設定される。
【００８１】
図９は、本発明に係る表示処理装置１００の変色領域移動処理の一例を示すフローチャートである。変色領域移動処理は、変色領域が設定されている状態、例えば、図８に示す状態から、ユーザが変色領域を指定し、位置を変更する操作を行った場合に実行される。本発明の表示処理装置１００は、変色領域を指定する操作を受け付けて、表示処理プログラムＰＲＧ等の各種プログラムを実行する制御部１７１の制御により、変色領域移動処理の実行を開始する。
【００８２】
制御部１７１は、入力部１２２により、変色領域を指定する入力を受け付ける（Ｓ３０１）。ステップＳ３０１は、ユーザが指又は入力具１４０にて変色領域内の適当な位置に触れたことを入力部１２２が検出することにより行われる。
【００８３】
制御部１７１は、入力部１２２により、指定された変色領域の位置を変更させる操作を受け付け（Ｓ３０２）、受け付けた操作に基づいて、指定された変色領域の位置を変更する（Ｓ３０３）。
【００８４】
ステップＳ３０２〜Ｓ３０３は、ユーザが指又は入力具１４０にて接触し、ドラッグしていることを入力部１２２が検出することにより行われる。すなわち、入力具１４０等により、入力部１２２の指示されている位置が、第１方向へ第１距離だけ接触しながら移動したことを検出した場合、変色領域を第１方向へ第１距離だけ移動させる。ただし、移動方向については、特定の方向に限定することも可能である。例えば、矩形状の表示領域１２１ａの長辺方向又は短辺方向のみに限定することができる。図８に例示するような英語辞書に係るコンテンツＣを、横長の状態で表示する場合、縦方向（短辺方向）のみの方向に移動方向を限定することができる。この場合、移動距離のうち、縦方向に平行な方向の成分のみを移動距離として処理する。移動距離についても、表示されているテキストデータの行単位で移動するように限定することもできる。
【００８５】
また、変色領域の移動に伴って不可視とするテキストデータも変更される。すなわち、新たに変色領域に入ったテキストデータのうち、変更背景色に係る色データが付与されたテキストデータは不可視となり、変色領域から外れたテキストデータは可視となる。
【００８６】
このようにして、変色領域移動処理が実行される。
【００８７】
図１０は、本発明に係る表示処理装置１００の表示領域１２１ａに表示された画像の一例を示す説明図である。図１０は、図８に示す画像から、変色領域Ａ２が下方に移動した場合に表示される画像を示している。表示領域１２１ａのうち、上方が基準色領域Ａ１であり、下方が変色領域Ａ２となっている。ユーザは、見出し語を認識し、不可視状態となっている、見出し語についての意味を想起した後、変色領域Ａ２を下方に移動させることにより、赤の色データが付与されたテキストを視認することができるので、答え合わせをすることができる。
【００８８】
ユーザは、設定された変色領域Ａ２の位置の変更だけではなく、テキストデータの表示内容を移動させる操作、いわゆるスクロールさせる操作を行うこともできる。テキストデータを移動させる操作として、ユーザは、表示部１２１の表示領域１２１ａにおける基準色領域Ａ１内の適当な位置に、指又は入力具１４０にて触れることにより、基準色領域Ａ１を指定する。そして、ユーザは、触れた状態を維持しながら表示領域１２１ａ上を移動させる操作、いわゆるドラッグを行うことにより、テキストデータの表示内容が移動するスクロール処理が行われる。
【００８９】
図１１は、本発明に係る表示処理装置１００のテキストデータ内容移動処理の一例を示すフローチャートである。テキストデータ内容移動処理は、ユーザが、変色領域が設定されていない領域（基準色領域）を指定し、移動させる操作を行った場合に実行される。本発明の表示処理装置１００は、基準色領域を指定する入力を受け付けて、表示処理プログラムＰＲＧ等の各種プログラムを実行する制御部１７１の制御により、テキストデータ内容移動処理の実行を開始する。
【００９０】
制御部１７１は、入力部１２２により、基準色領域を指定する入力を受け付ける（Ｓ４０１）。ステップＳ４０１は、ユーザが指又は入力具１４０にて変色領域が設定されていない基準色領域内の適当な位置に触れたことを入力部１２２が検出することにより行われる。
【００９１】
制御部１７１は、入力部１２２により、テキストデータの内容を移動させる操作を受け付け（Ｓ４０２）、受け付けた操作に基づいて、指定されたテキストデータの内容を移動する（Ｓ４０３）。
【００９２】
ステップＳ４０２〜Ｓ４０３は、ユーザが指又は入力具１４０にて接触し、ドラッグしていることを入力部１２２が検出することにより行われる。すなわち、入力具１４０等により、入力部１２２の指示されている位置が、第１方向へ第１距離だけ接触しながら移動したことを検出した場合、テキストデータの内容を第１方向へ第１距離だけ移動させる。ただし、移動方向については、特定の方向に限定することも可能である。例えば、矩形状の表示領域１２１ａの長辺方向又は短辺方向のみに限定することができる。図８に例示するような英語辞書に係るコンテンツＣを、横長の状態で表示する場合、縦方向（短辺方向）のみの方向に移動方向を限定することができる。この場合、移動距離のうち、縦方向に平行な方向の成分のみを移動距離として処理する。
【００９３】
また、テキストデータの内容の移動に伴って、不可視とするテキストデータも変更される。すなわち、新たに変色領域に入ったテキストデータのうち、変更背景色に係る色データが付与されたテキストデータは不可視となり、変色領域から外れたテキストデータは可視となる。
【００９４】
このようにして、テキストデータ内容移動処理が実行される。
【００９５】
以上のように、変色領域移動処理及びテキストデータ内容移動処理は、ユーザが触れた位置によりどちらの処理が実行されるかが決定される。前述の図１０において、ユーザが変色領域Ａ２に触れた状態でドラッグを行えば、変色領域移動処理が実行され、基準色領域Ａ１に触れた状態でドラッグを行えば、テキストデータ内容移動処理が実行される。なお、テキストデータ内容移動処理において、基準色領域Ａ１及び変色領域Ａ２の境界を超える移動を行う場合が生じる。具体的には、指又は入力具１４０が基準色領域Ａ１に触れた状態で、変色領域Ａ２にまでドラッグする場合である。このような場合は、指又は入力具１４０が表示領域１２１ａから離れるまでテキストデータ内容移動処理が実行される。すなわち、表示処理装置１００は、入力具１４０等により位置の指示の入力を受け付けた段階で、変色領域移動処理及びテキストデータ内容移動処理のいずれを実行するかを選択し、入力具１４０等が触れていることを検出している間は、実行を継続し、入力具１４０等が離れたことを検出した段階で、実行している処理を終了するのである。
【００９６】
このような変色領域移動処理及びテキストデータ内容移動処理により、例えば、英語辞書に赤シートを重畳した状態から、赤シート又は英語辞書をずらす行為を模した使い方を提供することができる。また、実際の英語辞書と異なり、ページを変更する必要がないため、利便性に優れている。しかも、ユーザが違和感なく直感的に当該操作を実行することができるインターフェースを提供することができる。
【００９７】
ここでは、変色領域移動処理及びテキストデータ内容移動処理をドラッグにより行う形態を示したが、変色領域又はテキストデータの指示、及び移動する操作の入力を行えるのであれば、必ずしもドラッグにより行う必要はない。例えば、入力キー１５１により、これらの命令を入力するようにし、表示処理装置１００は、入力キー１５１から位置の指定、移動操作等の命令の入力を受け付け、変色領域移動処理及びテキストデータ内容移動処理を実行するようにしてもよい。
【００９８】
次に、予め色データが付与されているテキストデータだけでなく、任意のテキストデータに対して表示色を変更させる処理について説明する。図１２は、本発明に係る表示処理装置１００のテキストデータ表示色変更処理の一例を示すフローチャートである。テキストデータ表示色変更処理は、ユーザが、任意のテキストデータに対して、表示色を変更させる操作を行った場合に実行される処理である。本発明の表示処理装置１００は、表示色を変更させる操作を受け付けて、表示処理プログラムＰＲＧ等の各種プログラムを実行する制御部１７１の制御により、テキストデータ表示色変更処理の実行を開始する。
【００９９】
制御部１７１は、入力部１２２により、テキストデータの指定を受け付け（Ｓ５０１）、受け付けたテキストデータの表示色を変更する（Ｓ５０２）。ステップＳ５０１〜Ｓ５０２の処理は、例えば、テキストデータの表示色を変更する蛍光ペンモードを設け、蛍光ペンモード下で、テキストデータの指定を行うことにより実行される。
【０１００】
このようにして、テキストデータ表示色変更処理が実行される。
【０１０１】
図１３は、本発明に係る表示処理装置１００の表示領域１２１ａに表示された画像の一例を示す説明図である。図１３は、図６に示す画像から、テキストデータ表示色変更処理を実行し、標準色の色データが付与されているテキストデータＴｘ「succeed to …  〜を継ぐ」の表示色を変更した状態を示している。これは、いわゆる英語辞書に対して蛍光ペンでチェックを行う行為を模した処理であり、ユーザが学習上、注意を要すると意図した語句等を注目され易くするための機能である。なお、ここでは、テキストデータの表示色の変更と称しているが、必ずしもテキストデータの文字部分のみを変更することを示すものではない。すなわち、テキストデータを表示する際に必要なドット領域では、文字部分となるドットと背景となるドットとが含まれる。テキストデータ表示色変更処理では、背景となるドットの表示色のみを変更することも可能であり、また、そのようにすることで、蛍光ペンによるマーキングを模することが可能となる。本発明の表示処理装置１００では、このような機能をも付加することが可能であり、その場合、表示色を変更したテキストデータについても、変色領域内で不可視化することになる。
【０１０２】
図１４は、本発明に係る表示処理装置１００の変色領域設定補助処理の一例を示すフローチャートである。変色領域設定補助処理とは、図７を用いて説明した変色領域設定処理において、テキストデータの表示色が変更されている場合に行われる補助的な処理である。制御部１７１は、図７を用いて示した変色領域設定処理を実行することにより、背景色を変更背景色とした変色領域を設定し、変更背景色に係る色データが付与されたテキストデータを不可視化する（Ｓ２０３）。
【０１０３】
そして、制御部１７１は、表示色を変更する指定を受け付けたテキストデータのうち、変色領域に表示すべきテキストデータを非表示とする（Ｓ６０１）。
【０１０４】
このようにして、変色領域設定補助処理が実行される。
【０１０５】
図１５は、本発明に係る表示処理装置１００の表示領域１２１ａに表示された画像の一例を示す説明図である。図１５は、図１３に示した状態から、変色領域Ａ２を設定した状態を示している。図１５に示すように、表示色を変更したテキストデータＴｘについては不可視化されている。ただし、表示色を変更せずに不可視化されたテキストデータと異なり、テキストデータを表示するドット領域全体が黒色で示され、文字を識別することができない状態で不可視化されている。これは、英語辞書に、蛍光ペンによるマーキングを行った場合で、赤シートを重畳したときの状態を模したものである。このように、ユーザが指定した任意のテキストデータについても、変色領域Ａ２内に入った場合に不可視化することにより、ユーザは、学習上の弱点を効果的に学習することができる等、優れた効果を奏する。
【０１０６】
次に、本発明の表示処理装置１００において、変更背景色の色を変更する処理について説明する。前述した各処理においては、例えば、図６において、タブ画像Ｔ２を指示する入力を行い、図８、図１０等の図に示すように、背景色を赤色とする処理を例示して説明したが、更に、タブ画像Ｔ３を指示する入力を行い、背景色を緑色とすることも可能である。すなわち、変更背景色は、複数色設定されており、適宜、その切り替えを行うことができる。
【０１０７】
図１６は、本発明に係る表示処理装置１００の変更背景色切替処理の一例を示すフローチャートである。本発明の表示処理装置１００は、変更背景色の色を切り替える入力を受け付けて、表示処理プログラムＰＲＧ等の各種プログラムを実行する制御部１７１の制御により、変更背景色切替処理の実行を開始する。
【０１０８】
制御部１７１は、変更背景色の色を切り替える入力を受け付け（Ｓ７０１）、受け付けた入力に基づいて変更背景色の色の設定を変更する（Ｓ７０２）。このようにして、変更背景色切替処理が実行される。
【０１０９】
図１７は、本発明に係る表示処理装置１００の表示領域１２１ａに表示された画像の一例を示す説明図である。図１７は、図１０に示す画像から、タブ画像Ｔ３を指示する入力操作を行った場合に表示される画像であり、コンテンツＣのテキストデータが表示されている領域のうち、下方の領域については、変色領域Ａ２とは背景色が異なる変色領域Ａ３に設定されている状態を示している。
【０１１０】
図１７に示すように、変色領域Ａ３における背景色は、緑の変更背景色が設定されている。また、緑の色データが付与されていたテキストは、不可視化されており、視認することができない状態となっている。図１７に例示する画像では、緑の色データが付与されたテキスト、英単語等の見出し語が不可視となっており、日本語の意味が可視となっている。図１７に示す状態は、英語辞書に半透明の緑シートを重畳し、緑色の文字を不可視とした状態を模している。なお、変更背景色を切り替えた場合に、変色領域Ａ３として設定する領域をどのようにするかは適宜設定することが可能である。例えば、切替前の変色領域Ａ２にて設定されていた領域を引き継ぐようにしてもよく、また、初期状態として全体を変色領域Ａ３として設定するようにしてもよい。
【０１１１】
次に、本発明の表示処理装置１００において、コンテンツＣの表示方向を変更する処理について説明する。前述した各表示例においては、矩形上の表示領域１２１ａの長辺を水平に、短辺を垂直にした横長の画面に表示する形態について説明した。本発明の表示処理装置１００は、横長の画面にコンテンツＣのテキストデータを表示させている状態から、自動又は手動で、縦長の画面に表示するようにテキストデータの表示方向を変更することができる。
【０１１２】
図１８は、本発明に係る表示処理装置１００の表示方向変更処理の一例を示すフローチャートである。本発明の表示処理装置１００は、テキストデータの表示方向を変更する入力を受け付けて、表示処理プログラムＰＲＧ等の各種プログラムを実行する制御部１７１の制御により、表示方向変更処理の実行を開始する。
【０１１３】
制御部１７１は、テキストデータの表示方向を変更させる入力を受け付ける（Ｓ８０１）。ステップＳ８０１において、制御部１７１は、方向検出部１８０又は入力部１２２から表示方向を変更する入力を受け付ける。方向検出部１８０は、例えば、自装置に加わる加速度を検出し、検出した加速度より、表示処理装置１００の垂直／水平方向に変化が生じたか否かを判定する。そして、変化が生じていると判定した場合に、そのことを示す信号を制御部１７１へ出力する。制御部１７１は、方向検出部１８０から出力された信号の入力を、表示方向を変更する入力として受け付けるのである。また、ユーザが、入力部１２２により、表示領域１２１ａ内に表示されている「縦切替」と示された方向切替アイコンを指示する入力を行った場合、そのことを示す信号が入力部１２２から制御部１７１へ出力する。制御部１７１は、入力部１２２から出力された信号の入力を、表示方向を変更する入力として受け付けるのである。なお、表示方向の変更を行う契機となる信号を、入力部１２２から出力される信号のみに制限するようにしてもよい。外部の振動等の要因により、方向検出部１８０から信号が出力され、ユーザが意図しない状況下で、表示方向が自動的に変更されることを防止するためである。
【０１１４】
表示方向を変更させる入力を受け付けた制御部１７１は、表示しているテキストデータ及び変色領域の表示状況を記録部１７２に記録する（Ｓ８０２）。ステップＳ８０２において、表示しているテキストデータの表示状況の記録とは、表示領域１２１ａに表示されているテキストデータのうちで、先頭の文字又は行を記録することを示す。また、変色領域の表示状況の記録とは、変色領域に含まれるテキストデータのうちで、先頭の文字又は行を記録することを示す。
【０１１５】
制御部１７１は、方向変更後の表示方法に即して、コンテンツＣに係る表示画面を表示領域１２１ａに表示する（Ｓ８０３）。更に、制御部１７１は、記録したテキストデータ及び変色領域の表示状況を記録部１７２から読み取り、読み取った表示状況に基づいて、表示領域１２１ａ内にテキストデータを表示し、かつ変色領域を設定する（Ｓ８０４）。ステップＳ８０２にて記録した表示状況に基づいてテキストデータを記録することにより、方向変更後も、表示されていたテキストデータの先頭の文字又は行が維持されることになる。また、記録した表示状況に基づいて変色領域を設定することにより、変色領域が設定されていたテキストデータの先頭の文字又は行が維持されるので、不可視化されていたテキストデータの不可視状態を維持することができる。
【０１１６】
このようにして、表示方向変更処理が実行される。
【０１１７】
図１９は、本発明に係る表示処理装置１００の表示領域１２１ａに表示された画像の一例を示す説明図である。図１９は、図８に示す画像が表示された状態から、表示処理装置１００を９０度傾け、表示方向を変更した場合に表示される画像である。図１９に示すように、横長の画面で表示する状態から縦長の画面で表示する状態に表示方向を変更したため、表示されている内容に差異は生じているが、テキストデータの表示の先頭及び変色領域に表示されるテキストデータの表示の先頭は維持されている。したがって、ユーザは、表示方向を変更した後も、戸惑うことなく学習を継続することができる。
【０１１８】
前記実施の形態は、本発明の無数に存在する実施例の一部を開示したに過ぎず、目的、用途、仕様等の様々な要因を加味して適宜設計することが可能である。
【０１１９】
例えば、前記実施の形態では、表示領域の下方に変色領域を設定し、上下に変色領域を移動させる形態を示したが、本発明はこれに限らず、上方に変色領域を設定したり、中央部に変色領域を設定して任意の方向に変色領域を移動させることも可能である。さらには、テキストデータを縦書きで表示し、変色領域を表示領域の左方に設定して、左右に変色領域を移動させるようにしても良い。縦書きでの表示は、国語、漢文等の科目に適用する場合に特に有効である。
【符号の説明】
【０１２０】
１００  表示処理装置
１２０  表示入力部
１２１  表示部
１２１ａ  表示領域
１２２  入力部
１４０  入力具
１５０  操作部
１７０  制御ユニット
１７１  制御部
１７２  記録部
１８０  方向検出部
Ａ１  基準色領域
Ａ２  変色領域（赤）
Ａ３  変色領域（緑）
Ｃ  コンテンツ
ＰＲＧ  表示処理プログラム
ＲＥＣ  記録媒体
【図１】
2014021209.tif 000003
【図２】
2014021209.tif 000004
【図３】
2014021209.tif 000005
【図４】
2014021209.tif 000006
【図５】
2014021209.tif 000007
【図６】
2014021209.tif 000008
【図７】
2014021209.tif 000009
【図８】
2014021209.tif 000010
【図９】
2014021209.tif 000011
【図１０】
2014021209.tif 000012
【図１１】
2014021209.tif 000013
【図１２】
2014021209.tif 000014
【図１３】
2014021209.tif 000015
【図１４】
2014021209.tif 000016
【図１５】
2014021209.tif 000017
【図１６】
2014021209.tif 000018
【図１７】
2014021209.tif 000019
【図１８】
2014021209.tif 000020
【図１９】
2014021209.tif 000021